(57)【特許請求の範囲】
【請求項１】
生体の血圧及び血流量を計測する計測部と、
計測された前記血圧及び前記血流量の夫々に基づいて、前記生体の体調を示す体調リスクレベルを算出する算出部と
を備え、
計測された前記血圧が、（ｉ）条件を満たす場合、前記算出部は前記体調リスクレベルを算出し、前記計測部は前記血流量を計測し、（ｉｉ）前記条件を満たさない場合、前記算出部は前記体調リスクレベルを算出せず、前記計測部は前記血流量を計測しないことを特徴とする体調監視装置。
【請求項２】
前記算出部は、計測された前記血圧に応じた前記生体の体調を示す血圧リスクレベル及び計測された前記血流量に応じた前記生体の体調を示す血流リスクレベルを算出することで、前記体調リスクレベルを算出することを特徴とする請求項１に記載の体調監視装置。
【請求項３】
前記算出部は、計測された前記血圧の比例値及び当該血圧の変化状態の少なくとも一方に応じた前記生体の体調を示す血圧リスクレベル並びに計測された前記血流量の比例値及び当該血流量の変化状態の少なくとも一方に応じた前記生体の体調を示す血流リスクレベルを算出することで、前記体調リスクレベルを算出することを特徴とする請求項１に記載の体調監視装置。
【請求項４】
前記算出部は、前記血圧リスクレベルと前記血流リスクレベルとを加算することで又は乗算することで、前記体調リスクレベルを算出することを特徴とする請求項２に記載の体調監視装置。
【請求項５】
前記算出部は、第１重み付け係数による重み付け処理が施された前記血圧リスクレベルと第２重み付け係数により重み付け処理が施された前記血流リスクレベルとを用いて、体調リスクレベルを算出することを特徴とする請求項２に記載の体調監視装置。
【請求項６】
前記算出部は、計測された前記血圧及び計測された前記血流量に加えて、前記血流量から算出される心拍数及び前記血流量から算出される脈波振幅の少なくとも一方に基づいて、前記体調リスクレベルを算出することを特徴とする請求項１に記載の体調監視装置。
【請求項７】
前記算出部は、計測された前記血圧に応じた前記生体の体調を示す血圧リスクレベル及び計測された前記血流量に応じた前記生体の体調を示す血流リスクレベルに加えて、前記血流量から算出される心拍数に応じた前記生体の体調を示す心拍リスクレベル及び前記血流量から算出される脈波振幅に応じた前記生体の体調を示す脈波リスクレベルの少なくとも一方を算出することで、前記体調リスクレベルを算出することを特徴とする請求項６に記載の体調監視装置。
【請求項８】
前記算出部は、計測された前記血圧の比例値及び当該血圧の変化状態の少なくとも一方に応じた前記生体の体調を示す血圧リスクレベル並びに計測された前記血流量の比例値及び当該血流量の変化状態の少なくとも一方に応じた前記生体の体調を示す血流リスクレベルに加えて、前記血流量から算出される心拍数の比例値及び当該心拍数の変化状態の少なくとも一方に応じた前記生体の体調を示す心拍リスクレベル並びに前記血流量から算出される脈波振幅の比例値及び当該脈波振幅の変化状態の少なくとも一方に応じた前記生体の体調を示す脈波リスクレベルの少なくとも一方を算出することで、前記体調リスクレベルを算出することを特徴とする請求項６に記載の体調監視装置。
【請求項９】
前記算出部は、前記血圧リスクレベルと前記血流リスクレベルと前記心拍リスクレベル及び前記脈波リスクレベルの少なくとも一方とを加算することで又は乗算することで、前記体調リスクレベルを算出することを特徴とする請求項７に記載の体調監視装置。
【請求項１０】
前記算出部は、第１重み付け係数による重み付け処理が施された前記血圧リスクレベルと第２重み付け係数により重み付け処理が施された前記血流リスクレベルと第３重み付け係数により重み付け処理が施された前記心拍リスクレベル及び前記脈波リスクレベルの少なくとも一方とを用いて、前記体調リスクレベルを算出することを特徴とする請求項７に記載の体調監視装置。
【請求項１１】
前記計測部が前記血圧を計測するタイミングを設定するタイマ手段を更に備え、
前記計測部は、前記タイマ手段が設定する前記タイミングに前記血圧を計測することで、自動的に前記血圧を計測することを特徴とする請求項１に記載の体調監視装置。
【請求項１２】
前記タイマ手段は、計測された前記血圧が所定条件を満たす場合に前記血圧を計測する前記タイミングの頻度が、計測された前記血圧が前記所定条件を満たさない場合に前記血圧を計測する前記タイミングの頻度よりも高くなるように、前記タイミングを設定することを特徴とする請求項１１に記載の体調監視装置。
【発明の詳細な説明】
【技術分野】
【０００１】
本発明は、例えば生体の体調を監視する体調監視装置及び方法の技術分野に関する。
【背景技術】
【０００２】
この種の体調監視装置として、例えば特許文献１に開示されているように、レーザ血流計を用いて、生体の体調に関連する情報である血流量を監視する装置が存在する。また、この種の体調監視装置として、特許文献２に開示されているように、血圧測定ユニットとパルス移動時間測定システムとを用いて、生体の体調に関連する情報である血圧の変化を監視する装置が提案されている。
【先行技術文献】
【特許文献】
【０００３】
【特許文献１】特開２００４−３５７７８４号公報
【特許文献２】特表２００９−５２８８６０号公報
【発明の概要】
【発明が解決しようとする課題】
【０００４】
しかしながら、特許文献１に開示された装置は、生体の血流量のみを監視している。このため、特許文献１に開示された装置による体調の監視精度が低くなってしまうという技術的問題点が生ずる。具体的には、特許文献１に開示された装置によれば、本来であれば体調が悪化していると判断されるべきところ、体調が良好であると誤って判断されるという技術的な問題点が生ずる。【０００５】
同様に、特許文献２に開示された装置は、生体の血圧を監視できるシステムであるが、生体のパルス移動時間を計測するため、血圧測定部に加えて、例えば心電計と末梢でのパルス測定という２点での計測が必要になるという問題がある。またこの装置は血圧のみを監視している。このため、特許文献２に開示された装置による体調の監視精度が低くなってしまうという技術的問題点が生ずる。本発明は、例えば上記問題点に鑑みてなされたものであり、生体の体調をより好適にかつ簡便に監視することが可能な体調監視装置及び方法を提供することを課題とする。
【課題を解決するための手段】
【０００６】
上記課題を解決するための体調監視装置は、生体の血圧を計測する血圧計測部と、前記生体の血流量を計測する血流計測部と、前記血圧計測部が計測した前記血圧及び前記血流計測部が計測した前記血流量の夫々に基づいて、前記生体の体調を示す体調リスクレベルを算出する体調算出部とを備える。【０００７】
上記課題を解決するための体調監視方法は、生体の血圧を計測する血圧計測工程と、前記生体の血流量を計測する血流計測工程と、前記血圧計測工程が計測した前記血圧及び前記血流計測工程が計測した前記血流量の夫々に基づいて、前記生体の体調を示す体調リスクレベルを算出する体調算出工程とを備える。
【図面の簡単な説明】
【０００８】
【図１】第１実施例の体調監視装置の構成を示すブロック図である。
【図２】第１実施例の体調監視装置の動作の流れを示すフローチャートである。
【図３】血圧リスクレベルと血圧との間の対応関係を示すテーブルである。
【図４】血流リスクレベルと血流量との間の対応関係を示すテーブルである。
【図５】体調リスクレベル＝血圧リスクレベル＋血流リスクレベルという数式を用いた体調リスクレベルの算出の態様を示すグラフである。
【図６】心拍数ＨＲ及び脈波振幅と血流量との間の関係を示す波形図である。
【図７】心拍リスクレベルと心拍数との間の対応関係を示すテーブルである。
【図８】脈波リスクレベルと脈波振幅との間の対応関係を示すテーブルである。
【図９】第２実施例の体調監視装置の構成を示すブロック図である。
【図１０】第２実施例の体調監視置の動作の流れを示すフローチャートである。
【図１１】第３実施例の体調監視装置の構成を示すブロック図である。
【図１２】第３実施例の体調監視装置の動作の流れを示すフローチャートである。
【発明を実施するための形態】
【０００９】
以下、発明を実施するための形態として、体調監視装置及び方法の実施形態について順に説明する。
【００１０】
（体調監視装置の実施形態）
＜１＞
本実施形態の体調監視装置は、生体の血圧を計測する血圧計測部と、前記生体の血流量を計測する血流計測部と、前記血圧計測部が計測した前記血圧及び前記血流計測部が計測した前記血流量の夫々に基づいて、前記生体の体調を示す体調リスクレベルを算出する体調算出部とを備える。
【００１１】
本実施形態の体調監視装置によれば、血圧計測部は、生体の血圧を計測する。このとき、血圧計測部は、離散的に血圧を計測してもよい。具体的には、血圧計測部は、第１の周期毎の血圧を計測してもよい。言い換えれば、血圧計測部は、第１の周期毎に、血圧を計測してもよい。より具体的には、血圧計測部は、第１のタイミングで血圧を計測してもよい。その後、血圧計測部は、当該第１タイミングを起点として第１の周期に応じた期間が経過した第２のタイミングで、再度血圧を計測してもよい。以降、血圧計測部は、同様の動作を繰り返してもよい。
【００１２】
また、血流計測部は、生体の血流量を計測する。このとき、血流計測部は、連続的に血流量を計測してもよい。具体的には、血流計測部は、第２の周期（但し、第２の周期は、血圧計測部が血圧を計測する周期である第１の周期よりも短い周期であることが好ましい）毎の血流量を計測してもよい。言い換えれば、血流計測部は、第２の周期毎に、血流量を計測してもよい。より具体的には、血流計測部は、第３のタイミングで血流量を計測してもよい。その後、血流計測部は、当該第３タイミングを起点として第２の周期に応じた期間が経過した第４のタイミングで、再度血流量を計測してもよい。以降、血流計測部は、同様の動作を繰り返してもよい。
【００１３】
本実施形態では特に、体調算出部は、血圧計測部が計測した血圧及び血流計測部が計測した血流量の夫々に基づいて、体調リスクレベルを算出する。つまり、体調算出部は、血圧計測部が計測した血圧のみに基づいて体調リスクレベルを算出することに代えて、血圧計測部が計測した血圧及び血流計測部が計測した血流量の夫々に基づいて体調リスクレベルを算出する。言い換えれば、体調算出部は、血流計測部が計測した血流量のみに基づいて体調リスクレベルを算出することに代えて、血圧計測部が計測した血圧及び血流計測部が計測した血流量の夫々に基づいて体調リスクレベルを算出する。
【００１４】
ここで、「体調リスクレベル」は、生体の体調が良好であるか否か（或いは、良好でないか否か）又は生体の体調がどのような状態であるかを直接的に又は間接的に示す任意の指標を意味している。このような体調リスクレベルとして、生体の体調が悪化するにつれて増大する数値が一例としてあげられる。
【００１５】
このような本実施形態の体調監視装置は、単一の計測値に代えて、複数の計測値（つまり、血圧計測部が計測した血圧及び血流計測部が計測した血流量）に基づいて、体調リスクレベルを算出することができる。従って、本実施形態の体調監視装置は、単一の計測値に基づいて体調リスクレベルを算出する比較例の体調監視装置と比較して、生体の体調をより好適に（例えば、より高精度に）監視することができる。
【００１６】
尚、一般的に、計測された「血流量」は、相対値（つまり、何らかの基準値に対する相対的な値ないしは変化量）として活用されることが多い。このため、「血流量」のみに基づいて体調を監視する比較例の体調監視装置は、血流量の変化量等を監視することで体調が急変しているか否かを判断することはできるものの、体調が急変する前の段階での体調がどのような状態にあるかを好適に判断することができない。というのも、血流量そのものの絶対値としての情報の有用性が相対的に高くないからである。一方で、「血圧」は、絶対値（つまり、血圧そのものの値）として活用されることが多い。しかしながら、「血圧」の計測に起因した生体の負担は、「血流量」の計測に起因した生体の負担と比較して大きくなる。このため、「血圧」のみに基づいて体調を監視する比較例の体調監視装置は、「血圧」の計測に起因した生体の負担を考慮して、多頻度に血圧を計測することができない。従って、「血圧」のみに基づいて体調を監視する比較例の体調監視装置は、体調がどのような状態にあるかを連続的に判断することができない。しかるに、本実施形態の体調監視装置は、絶対値として活用されることが多い「血圧」及び相対値として活用されることが多い「血流量」の双方に基づいて体調を監視することができる。このため、本実施形態の体調監視装置は、「血圧」のみに基づいて体調を監視する比較例の体調監視装置に生ずるデメリットを、「血流量」にも基づいて体調を監視することで補うことができる。同様に、本実施形態の体調監視装置は、「血流量」のみに基づいて体調を監視する比較例の体調監視装置に生ずるデメリットを、「血圧」にも基づいて体調を監視することで補うことができる。従って、本実施形態の体調監視装置は、単一の計測値に基づいて体調リスクレベルを算出する比較例の体調監視装置と比較して、生体の体調をより好適に（例えば、より高精度に）監視することができる。
【００１７】
＜２＞
本実施形態の体調監視装置の他の態様では、前記体調算出部は、前記血圧計測部が計測した前記血圧に応じた前記生体の体調を示す血圧リスクレベル及び前記血流計測部が計測した前記血流量に応じた前記生体の体調を示す血流リスクレベルを算出することで、前記体調リスクレベルを算出する。
【００１８】
この態様によれば、体調算出部は、血圧計測部が計測した血圧に基づいて算出される血圧リスクレベル及び血流計測部が計測した血流量に基づいて算出される血流リスクレベルに基づいて、体調リスクレベルを算出することができる。
【００１９】
尚、「血圧リスクレベル」は、生体の体調が良好であるか否か（或いは、良好でないか否か）又は生体の体調がどのような状態であるかを直接的に又は間接的に示す任意の指標であって、且つ、血圧に基づいて算出される任意の指標を意味している。このような血圧リスクレベルとして、血圧と一意に対応付けられる数値（例えば、血圧を変数とする任意の関数によって規定される数値）が一例としてあげられる。
【００２０】
また、「血流リスクレベル」は、生体の体調が良好であるか否か（或いは、良好でないか否か）又は生体の体調がどのような状態であるかを直接的に又は間接的に示す任意の指標であって、且つ、血流量に基づいて算出される任意の指標を意味している。このような血流リスクレベルとして、血流量と一意に対応付けられる数値（例えば、血流量を変数とする任意の関数によって規定される数値）が一例としてあげられる。
【００２１】
＜３＞
本実施形態の体調監視装置の他の態様では、前記体調算出部は、前記血圧計測部が計測した前記血圧の比例値及び当該血圧の変化状態の少なくとも一方に応じた前記生体の体調を示す血圧リスクレベル並びに前記血流計測部が計測した前記血流量の比例値及び当該血流量の変位量の少なくとも一方に応じた前記生体の体調を示す血流リスクレベルを算出することで、前記体調リスクレベルを算出する。
【００２２】
この態様によれば、体調算出部は、血圧計測部が計測した血圧の比例値（例えば、血圧そのものの値や、血圧を所定数倍することで得られる値）及び血圧計測部が計測した血圧の変化状態（例えば、血圧の変化率や、基準値に対する血圧の比率や、基準値に対する血圧の変化量や、所定時間当たりの血圧の変化量や、血圧のｎ（但し、ｎは１以上の整数）階微分値等）の少なくとも一方に基づいて算出される血圧リスクレベルに基づいて、体調リスクレベルを算出することができる。
【００２３】
加えて、体調算出部は、血流計測部が計測した血流量の比例値（例えば、血流量そのものの値や、血流量を所定数倍することで得られる値）及び血流計測部が計測した血流量の変化状態（例えば、血流量の変化率や、基準値に対する血流量の比率や、基準値に対する血流量の変化量や、所定時間当たりの血流量の変化量や、血流量のｎ階微分値等）の少なくとも一方に基づいて算出される血流リスクレベルに基づいて、体調リスクレベルを算出することができる。
【００２４】
＜４＞
上述の如く血圧リスクレベル及び血流リスクレベルを算出することで体調リスクレベルを算出する体調監視装置の態様では、前記体調算出部は、前記血圧リスクレベルと前記血流リスクレベルとを加算することで又は乗算することで、前記体調リスクレベルを算出する。
【００２５】
この態様によれば、体調算出部は、血圧リスクレベル及び血流リスクレベルから、体調リスクレベルを比較的容易に算出することができる。
【００２６】
＜５＞
上述の如く血圧リスクレベル及び血流リスクレベルを算出することで体調リスクレベルを算出する体調監視装置の態様では、前記体調算出部は、第１重み付け係数による重み付け処理が施された前記血圧リスクレベルと第２重み付け係数により重み付け処理が施された前記血流リスクレベルとを用いて、体調リスクレベルを算出する。
【００２７】
この態様によれば、体調算出部は、生体毎の個人差等を考慮した重み付け処理が少なくとも一方に施された血圧リスクレベル及び血流リスクレベルから、体調リスクレベルを算出することができる。従って、体調を監視する生体毎の個人差が存在していたとしても、このような重み付け処理により、当該個人差を吸収するように血圧リスクレベル及び血流リスクレベルの少なくとも一方が補正される。従って、体調算出部は、体調リスクレベルをより一層好適に算出することができる。
【００２８】
＜６＞
本実施形態の体調監視装置の他の態様では、前記体調算出部は、前記血圧計測部が計測した前記血圧及び前記血流計測部が計測した前記血流量に加えて、前記血流量から算出される心拍数及び前記血流量から算出される脈波振幅の少なくとも一方に基づいて、前記体調リスクレベルを算出する。
【００２９】
この態様によれば、体調算出部は、より多くの計測値（つまり、血圧計測部が計測した血圧及び血流計測部が計測した血流量、並びに、血流計測部が計測した血流量から算出される心拍数及び脈波振幅の少なくとも一方）に基づいて、体調リスクレベルを算出することができる。従って、この態様によれば、体調算出部は、生体の体調をより一層好適に（例えば、より高精度に）監視することができる。
【００３０】
＜７＞
上述の如く心拍数及び脈波振幅の少なくとも一方に基づいて体調リスクレベルを算出する体調監視装置の態様では、前記体調算出部は、前記血圧計測部が計測した前記血圧に応じた前記生体の体調を示す血圧リスクレベル及び前記血流計測部が計測した前記血流量に応じた前記生体の体調を示す血流リスクレベルに加えて、前記血流量から算出される心拍数に応じた前記生体の体調を示す心拍リスクレベル及び前記血流量から算出される脈波振幅に応じた前記生体の体調を示す脈波リスクレベルの少なくとも一方を算出することで、前記体調リスクレベルを算出する。
【００３１】
この態様によれば、体調算出部は、血圧計測部が計測した血圧に基づいて算出される血圧リスクレベル及び血流計測部が計測した血流量に基づいて算出される血流リスクレベル、並びに血流計測部が計測した血流量から算出される心拍数に基づいて算出される心拍リスクレベル及び血流計測部が計測した血流量から算出される脈波振幅に基づいて算出される脈波リスクレベルの少なくとも一方に基づいて、体調リスクレベルを算出することができる。
【００３２】
尚、「心拍数リスクレベル」は、生体の体調が良好であるか否か（或いは、良好でないか否か）又は生体の体調がどのような状態であるかを直接的に又は間接的に示す任意の指標であって、且つ、心拍数から算出される任意の指標を意味している。このような心拍リスクレベルとして、心拍数と一意に対応付けられる数値（例えば、心拍数を変数とする任意の関数によって規定される数値）が一例としてあげられる。
【００３３】
また、「脈波リスクレベル」は、生体の体調が良好であるか否か（或いは、良好でないか否か）又は生体の体調がどのような状態であるかを直接的に又は間接的に示す任意の指標であって、且つ、脈波振幅から算出される任意の指標を意味している。このような脈波リスクレベルとして、脈波振幅と一意に対応付けられる数値（例えば、脈波振幅を変数とする任意の関数によって規定される数値）が一例としてあげられる。
【００３４】
＜８＞
上述の如く心拍数及び脈波振幅の少なくとも一方に基づいて体調リスクレベルを算出する体調監視装置の態様では、前記体調算出部は、前記血圧計測部が計測した前記血圧の比例値及び当該血圧の変化状態の少なくとも一方に応じた前記生体の体調を示す血圧リスクレベル並びに前記血流計測部が計測した前記血流量の比例値及び当該血流量の変化状態の少なくとも一方に応じた前記生体の体調を示す血流リスクレベルに加えて、前記血流量から算出される心拍数の比例値及び当該心拍数の変化状態の少なくとも一方に応じた前記生体の体調を示す心拍リスクレベル並びに前記血流量から算出される脈波振幅の比例値及び当該脈波振幅の変化状態の少なくとも一方に応じた前記生体の体調を示す脈波リスクレベルの少なくとも一方を算出することで、前記体調リスクレベルを算出する。
【００３５】
この態様によれば、体調算出部は、血流計測部が計測した血流量から算出される心拍数の比例値（例えば、心拍数そのものの値や、心拍数を所定数倍することで得られる値）及び血流計測部が計測した血流量から算出される心拍数の変化状態（例えば、心拍数の変化率や、基準値に対する心拍数の比率や、基準値に対する心拍数の変化量や、所定時間当たりの心拍数の変化量や、心拍数のｎ階微分値等）の少なくとも一方に基づいて算出される心拍リスクレベルに基づいて、体調リスクレベルを算出することができる。
【００３６】
加えて又は代えて、体調算出部は、血流計測部が計測した血流量から算出される脈波振幅の比例値（例えば、脈波振幅そのものの値や、脈波振幅を所定数倍することで得られる値）及び血流計測部が計測した血流量から算出される脈波振幅の微分値（例えば、脈波振幅の変化率や、基準値に対する脈波振幅の比率や、基準値に対する脈波振幅の変化量や、所定時間当たりの脈波振幅の変化量や、脈波振幅のｎ階微分値等）の少なくとも一方に基づいて算出される脈波リスクレベルに基づいて、体調リスクレベルを算出することができる。
【００３７】
＜９＞
上述の如く心拍数及び脈波振幅の少なくとも一方に基づいて体調リスクレベルを算出する体調監視装置の態様では、前記体調算出部は、前記血圧リスクレベルと前記血流リスクレベルと前記心拍リスクレベル及び前記脈波リスクレベルの少なくとも一方とを加算することで又は乗算することで、前記体調リスクレベルを算出することを特徴とする請求項７に記載の体調監視装置。
【００３８】
この態様によれば、体調算出部は、血圧リスクレベル及び血流リスクレベルと心拍リスクレベル及び脈波リスクレベルの少なくとも一方から、体調リスクレベルを比較的容易に算出することができる。
【００３９】
＜１０＞
上述の如く心拍数及び脈波振幅の少なくとも一方に基づいて体調リスクレベルを算出する体調監視装置の態様では、前記体調算出部は、第１重み付け係数による重み付け処理が施された前記血圧リスクレベルと第２重み付け係数により重み付け処理が施された前記血流リスクレベルと第３重み付け係数により重み付け処理が施された前記心拍リスクレベル及び前記脈波リスクレベルの少なくとも一方とを用いて、前記体調リスクレベルを算出する。
【００４０】
この態様によれば、体調算出部は、生体毎の個人差等を考慮した重み付け処理が少なくとも一つに施された血圧リスクレベル及び血流リスクレベル並びに心拍リスクレベル及び脈波リスクレベルの少なくとも一方から、体調リスクレベルを算出することができる。従って、体調を監視する生体毎の個人差が存在していたとしても、当該個人差を吸収するように血圧リスクレベル、血流リスクレベル心拍リスクレベル及び脈波リスクレベルの少なくとも一つが補正される。従って、体調算出部は、体調リスクレベルをより一層好適に算出することができる。
【００４１】
＜１１＞
本実施形態の体調監視装置の他の態様では、前記体調算出部は、(i)前記血圧計測部が計測した前記血圧が所定条件を満たす場合に、前記体調リスクレベルを算出し、(ii)前記血圧計測部が計測した前記血圧が前記所定条件を満たさない場合に、前記体調リスクレベルを算出しない。
【００４２】
この態様によれば、体調算出部は、血圧が所定条件を満たす場合（例えば、体調を監視する又は体調リスクレベルを算出することが好ましい場合）に体調リスクレベルを算出することができる。言い換えれば、体調算出部は、血圧が所定条件を満たさない場合（例えば、体調を監視しなくともよい又は体調リスクレベルを算出しなくともよい場合）に体調リスクレベルを算出しなくともよい。従って、体調算出部が常に体調リスクレベルを算出し続ける比較例の体調監視装置と比較して、体調監視装置の消費電力が低減される。
【００４３】
＜１２＞
本実施形態の体調監視装置の他の態様では、前記血流計測部は、(i)前記血圧計測部が計測した前記血圧が前記所定条件を満たす場合に、前記血流量を計測し、(ii)前記血圧計測部が計測した前記血圧が前記所定条件を満たさない場合に、前記血流量を計測しない。
【００４４】
この態様によれば、血流計測部は、血圧が所定条件を満たす場合（例えば、体調を監視する又は体調リスクレベルを算出することが好ましい場合）に血流量を計測することができる。言い換えれば、血流計測部は、血圧が所定条件を満たさない場合（例えば、体調を監視しなくともよい又は体調リスクレベルを算出しなくともよい場合）に血流量を計測しなくともよい。従って、血流計測部が常に血流量を計測し続ける比較例の体調監視装置と比較して、体調監視装置の消費電力が低減される。
【００４５】
＜１３＞
本実施形態の体調監視装置の他の態様では、前記血圧計測部が前記血圧を計測するタイミングを設定するタイマ手段を更に備え、前記血圧計測部は、前記タイマ手段が設定する前記タイミングに前記血圧を計測することで、自動的に前記血圧を計測する。
【００４６】
この態様によれば、血圧計測部は、自動的に血圧を計測することができる。具体的には、血圧計測部は、例えば、自動的に所定周期毎に血圧を計測することができる。尚、血圧計測部は、例えば、計測者の手動での作業を伴う血圧計（例えば、カフを腕に巻きつけると共に当該カフを介して腕を加圧する非侵襲型の血圧計）を備えていることが多い。このような場合であっても、血圧計測部は、タイマ部が設定するタイミングに応じて、計測者がタイミングを図ることなく（或いは、計測者が手動で作業を行うことなく）、自動的に血圧を計測することができる。
【００４７】
＜１４＞
上述の如くタイマ手段を備える体調監視装置の他の態様では、前記タイマ手段は、(i)前記血圧計測部が計測した前記血圧が所定条件を満たす場合に前記血圧を計測する前記タイミングの頻度が、(ii)前記血圧計測部が計測した前記血圧が前記所定条件を満たさない場合に前記血圧を計測する前記タイミングの頻度よりも高くなるように、前記タイミングを設定する。
【００４８】
この態様によれば、タイマ手段は、血圧計測部が計測する血圧に応じて、血圧計測部が血圧を計測するタイミングを好適に設定することができる。例えば、タイマ手段は、血圧が所定条件を満たす場合（例えば、体調を監視する又は体調リスクレベルを算出することが好ましい場合）に、相対的に高頻度に血圧が計測されるように、血圧計測部が血圧を計測するタイミングを設定することができる。他方で、例えば、タイマ手段は、血圧が所定条件を満たさない場合（例えば、体調を監視しなくともよい又は体調リスクレベルを算出しなくともよい場合）に、相対的に低頻度に血圧が計測されるように、血圧計測部が血圧を計測するタイミングを設定することができる。
【００４９】
（体調監視方法の実施形態）
＜１５＞
本実施形態の体調監視方法は、生体の血圧を計測する血圧計測工程と、前記生体の血流量を計測する血流計測工程と、前記血圧計測工程が計測した前記血圧及び前記血流計測工程が計測した前記血流量の夫々に基づいて、前記生体の体調を示す体調リスクレベルを算出する体調算出工程とを備える。
【００５０】
本実施形態の体調監視方法によれば、上述した本実施形態の体調監視装置が享受する各種効果を好適に享受することができる。
【００５１】
尚、本実施形態の体調監視装置が採用する各種態様に対応して、本実施形態の体調監視方法も、各種態様を採用してもよい。
【００５２】
本実施形態のこのような作用及び他の利得は次に説明する実施例から明らかにされる。
【００５３】
以上説明したように、本実施形態の体調監視装置は、血圧計測手段と、血流計測手段と、体調算出手段とを備える。本実施形態の体調監視方法は、血圧計測工程と、血流計測工程と、体調算出工程とを備える。従って、生体の体調をより好適に監視することができる。
【実施例】
【００５４】
以下、図面を参照しながら、体調監視装置の実施例について説明する。【００５５】
（１）第１実施例
はじめに、図１から図８を参照しながら、第１実施例の体調監視装置１について説明を進める。【００５６】
（１−１）体調監視装置の構成
はじめに、図１を参照しながら、第１実施例の体調監視装置１の構成について説明する。図１は、第１実施例の体調監視装置１の構成を示すブロック図である。【００５７】
図１に示すように、第１実施例の体調監視装置１は、血圧計測部１１と、血流計測部１２と、制御部１３とを備えている。【００５８】
血圧計測部１１は、生体（例えば、人間や動物等）の血圧ＢＰを計測する。血圧計測部１１は、例えば、非侵襲型の血圧計（例えば、カフを腕に巻きつけると共に当該カフを介して腕を加圧することで血圧ＢＰを計測する血圧計）であってもよい。但し、血圧計測部１１は、血圧ＢＰを何らかの手法で計測することができる限りは、どのような構成を有していてもよい。【００５９】
血流計測部１２は、生体の血流量（つまり、血管内を流れる血液の流量）ＢＦを計測する。このような血流計測部１２として、例えば、レーザドップラ血流計が用いられてもよい。但し、血流計測部１２は、血流量ＢＦを何らかの手法で計測することができる限りは、どのような構成を有していてもよい。以下、説明の便宜上、血流計測部１２がレーザドップラ血流計である場合を例にあげて説明を進める。【００６０】
血流計測部１２は、レーザ素子１２１と、受光素子１２２と、増幅器１２３と、Ａ／Ｄ（Analogue to Digital）コンバータ１２４と、演算回路１２５とを備えている。【００６１】
レーザ素子１２１は、生体に対してレーザ光を照射する。このとき、レーザ素子１２１は、生体内の血管に対してレーザ光を照射することが好ましい。特に、レーザ素子１２１は、耳朶の血管に対してレーザ光を照射することが好ましい。但し、レーザ素子１２１は、それ以外の箇所の結果に対してレーザ光を照射してもよい。【００６２】
受光素子１２２は、生体からのレーザ光の反射光と生体からのレーザ光ＬＢの散乱光との相互干渉によって生ずるビート信号光を受光する。受光素子１２は、受光したビート信号光を電気信号に変換することで得られる検出電流を生成する。【００６３】
増幅器１２３は、受光素子１２２から出力される検出電流を、電圧信号に変換した上で増幅する。【００６４】
Ａ／Ｄコンバータ１２４は、増幅器１２３の出力（つまり、受光素子１２２が受光したビート信号光に応じた電圧信号）に対してＡ／Ｄ変換処理（つまり、量子化処理）を行う。その結果、Ａ／Ｄコンバータ１２４は、受光素子１２２が受光したビート信号光に応じた電圧信号のサンプル値（つまり、量子化された電圧信号）を、演算回路１２５に出力する。【００６５】
演算回路１２５は、Ａ／Ｄコンバータ１２４の出力（つまり、受光素子１２２が受光したビート信号光に応じた電圧信号のサンプル値）に対して、ＦＦＴ（Fast Fourier Transform）を用いた周波数解析を行う。その結果、演算回路１２５は、血流量ＢＦを算出する。【００６６】
制御部１３は、体調監視装置１を制御するための中央制御装置（例えば、ＣＰＵ：Central Processing Unit）である。制御部１３は、その内部に物理的に実現される処理回路として又はその内部に論理的に実現される処理ブロックとして、血圧保存部１３１と、血流量保存部１３２と、リスクレベル算出部１３３と、出力部１３４とを備えている。【００６７】
血圧保存部１３１は、血圧計測部１１が計測した血圧ＢＰを保存するメモリである。尚、血圧保存部１３１は、一定期間以内に血圧計測部１１が計測した血圧ＢＰを保存することが好ましい。或いは、血圧保存部１３１は、血圧計測部１１が計測した全ての血圧ＢＰを保存してもよい。【００６８】
血流量保存部１３２は、血流計測部１２が計測した血流量ＢＦを保存するメモリである。尚、血流量保存部１３２は、一定期間以内に血流計測部１２が計測した血流量ＢＦを保存することが好ましい。或いは、血流量保存部１３２は、血流計測部１２が計測した全ての血流量ＢＦを保存してもよい。【００６９】
尚、血圧保存部１３１は、血流保存部１３２と物理的に独立していてもよい。或いは、血圧保存部１３１及び血流保存部１３２は、単一のメモリから構成されていてもよい。【００７０】
リスクレベル算出部１３３は、血圧保存部１３１に保存されている血圧ＢＰ及び血流量保存部１３２に保存されている血流量ＢＦに基づいて、生体の体調が良好であるか否かを示す（或いは、生体の体調の状態を示す）体調リスクレベルを算出する。【００７１】
出力部１３４は、リスクレベル算出部１３３が算出した体調リスクレベルを、体調管理装置１の外部の機器に対して出力する。或いは、出力部１３４は、リスクレベル算出部１３３が算出した体調リスクレベルを、体調管理装置１が備える不図示の表示部に対して出力する。その結果、表示部は、体調リスクレベルを表示してもよい。【００７２】
（１−２）体調監視装置の動作
続いて、図２を参照して、第１実施例の体調監視装置１の動作の流れについて説明する。図２は、第１実施例の体調監視装置１の動作の流れを示すフローチャートである。【００７３】
図２に示すように、血流計測部１２は、生体の血流量ＢＦを計測する（ステップＳ１１）。尚、血流計測部１２による生体の血流量ＢＦの計測は、体調監視装置１による生体の体調の監視動作が終了するまで継続して行われる（ステップＳ１６）。【００７４】
具体的には、まず、レーザ素子１２１は、生体に対してレーザ光を照射する。【００７５】
その後、受光素子１２２は、生体からのレーザ光の散乱光の相互干渉（より具体的には、移動する散乱体である血球によって散乱された散乱光と静止している組織（例えば、皮膚組織）によって散乱された散乱光との相互干渉）によって生ずるビート信号光を受光する。具体的には、レーザ光が生体に照射されると、生体内の血管の内部の血液の流れ（即ち、散乱体である赤血球の移動）に起因した散乱光が発生する。この散乱光の周波数は、元のレーザ光の周波数と比較して、血液の移動速度に対応したレーザドップラ作用によって変化している。受光素子１２２は、このような散乱光の相互干渉により生ずるビート信号光（いわゆる、周波数差分信号）を受光する。尚、ビート信号光を生じさせる散乱光として、生体に照射されたレーザ光の透過光に相当する前方散乱光が用いられてもよいし、生体に照射されたレーザ光の反射光に相当する後方散乱光が用いられてもよい。【００７６】
その後、受光素子１２２は、受光したビート信号光を電気信号に変換することで得られる検出電流を生成する。受光素子１２２は、生成した検出電流を、増幅器１２３に出力する。増幅器１２３は、受光素子１２２から出力される検出電流（つまり、受光素子１２２が受光したビート信号光に応じた検出電流）を、電圧信号に変換した上で増幅する。増幅器は、電圧信号をＡ／Ｄコンバータ１２４に出力する。【００７７】
その後、Ａ／Ｄコンバータ１２４は、増幅器１２３の出力（つまり、受光素子１２２が受光したビート信号光に応じた電圧信号）に対してＡ／Ｄ変換処理（つまり、量子化処理）を行う。その結果、Ａ／Ｄコンバータ１２４は、受光素子１２２が受光したビート信号光に応じた電圧信号のサンプル値（つまり、量子化された電圧信号）を、演算回路１２５に出力する。具体的には、例えば、Ａ／Ｄコンバータ１２４は、Ａ／Ｄコンバータ１２４のサンプリング周期をＴａとすると、周期Ｔａ毎に、受光素子１２２が受光したビート信号光に応じた電圧信号のサンプル値（つまり、量子化された電圧信号）を出力する。【００７８】
その後、演算回路１２５は、Ａ／Ｄコンバータ１２４の出力（つまり、受光素子１２が受光したビート信号光に応じた電圧信号のサンプル値）に対して、ＦＦＴ（Fast Fourier Transform）を用いた周波数解析を行う。その結果、演算回路１２５は、血流量ＢＦを算出する。具体的には、例えば、演算回路１２５は、ビート信号光に応じた電圧信号のサンプル値に対してＦＦＴを行う。演算回路１２５は、当該ＦＦＴを行うことで得られるパワースペクトルと周波数ベクトルとの乗算結果である１次モーメントを用いて、血流量ＢＦを算出する。尚、ＦＦＴを用いた周波数解析による血流量ＢＦの算出方法については、公知の方法（例えば、特許第３３１３８４１号公報に開示された方法等）が用いられてもよいため、詳細な説明を省略する。演算回路１２５は、算出した血流量ＢＦを、制御部１３（特に、血流量保存部１３２）に出力する。その結果、血流量保存部１３２は、血流計測部１２が計測した血流量ＢＦを保存する（ステップＳ１１）。【００７９】
ステップＳ１１での血流量ＢＦの計測に続いて若しくは相前後して又は並行して、血圧計測部１１は、生体の血圧ＢＰを計測する（ステップＳ１２）。その後、血圧計測部１１が計測した血圧ＢＰは、制御部１３（特に、血圧保存部１３１）に出力される。その結果、血圧保存部１３１は、血圧計測部１１が計測した血圧ＢＰを保存する（ステップＳ１２）。尚、血圧計測部１１による生体の血圧ＢＰの計測は、体調監視装置１による生体の体調の監視動作が終了するまで継続して行われる（ステップＳ１６）。【００８０】
血圧計測部１１は、一定時間毎に（例えば、２０分毎に）血圧ＢＰを計測してもよい。例えば、計測者が一定時間毎に血圧計測部１１を操作する（例えば、カフを生体の腕に巻きつけると共に、当該カフを介して生体の腕を圧迫する）ことで、一定時間毎に血圧ＢＰが計測される。【００８１】
ここで、血圧計測部１１が血圧ＢＰを計測する周期は、血流計測部１２が血流量ＢＦを計測する周期よりも長くてもよい。例えば、血圧計測部１１は、２０分毎に血圧ＢＰを計測する一方で、血流計測部１２は、２０分よりも短い周期毎に（例えば、数十ミリ秒から数十秒毎に）血流量ＢＦを計測してもよい。尚、血圧計測部１１が非侵襲型の血圧計であり且つ血流計測部１２がレーザドップラ血流計である場合には、血圧ＢＰの計測の手間等の関係上、血圧計測部１１が血圧ＢＰを計測する周期は、血流計測部１２が血流量ＢＦを計測する周期よりも長くなることが多い。【００８２】
ステップＳ１１での血流量ＢＦの計測及びステップＳ１２での血圧ＢＰの計測に続いて若しくは相前後して又は並行して、リスクレベル算出部１３３は、生体の体調が良好であるか否かを示す（或いは、生体の体調の状態を示す）体調リスクレベルを算出する（ステップＳ１３からステップＳ１５）。尚、リスクレベル算出部１３３による体調リスクレベルの算出は、体調監視装置１による生体の体調の監視動作が終了するまで継続して行われる（ステップＳ１６）。【００８３】
具体的には、リスクレベル算出部１３３は、まず、血圧保存部１３１が保存している血圧ＢＰに基づいて、血圧リスクレベルを算出する（ステップＳ１３）。尚、血圧リスクレベルは、生体の体調の状態を示す指標であって且つ血圧ＢＰの値に応じた指標である。【００８４】
ここで、図３を参照して、血圧リスクレベルの算出の態様の一例について説明する。図３は、血圧リスクレベルと血圧ＢＰとの間の対応関係を示すテーブルである。【００８５】
図３に示すように、リスクレベル算出部１３３は、例えば、血圧ＢＰと血圧リスクレベルとの間の対応関係を示すテーブルを参照することで、血圧リスクレベルを算出してもよい。具体的には、リスクレベル算出部１３３は、血圧ＢＰが１６０ｍｍＨｇより大きく且つ１８０ｍｍＨｇ以下である場合には、「１」という数値を、血圧リスクレベルとして算出する。同様に、リスクレベル算出部１３３は、血圧ＢＰが１８０ｍｍＨｇより大きい場合には、「２」という数値を、血圧リスクレベルとして算出する。同様に、リスクレベル算出部１３３は、血圧ＢＰが１４０ｍｍＨｇより大きく且つ１６０ｍｍＨｇ以下である場合には、「３」という数値を、血圧リスクレベルとして算出する。同様に、リスクレベル算出部１３３は、血圧ＢＰが１２０ｍｍＨｇより大きく且つ１４０ｍｍＨｇ以下である場合には、「４」という数値を、血圧リスクレベルとして算出する。同様に、リスクレベル算出部１３３は、血圧ＢＰが１００ｍｍＨｇより大きく且つ１２０ｍｍＨｇ以下である場合には、「５」という数値を、血圧リスクレベルとして算出する。同様に、リスクレベル算出部１３３は、血圧ＢＰが１００ｍｍＨｇ以下である場合には、「６」という数値を、血圧リスクレベルとして算出する。【００８６】
尚、図３に示す血圧リスクレベルは、数値が大きくなるほど生体の体調が悪化している（言い換えれば、良好でない）ことを示している。というのも、図３に示す血圧リスクレベルは、主として、生体が人工透析を行っている場合の血圧ＢＰを対象としているからである。生体が人工透析を行っている場合には、血圧ＢＰの低下が体調の悪化（つまり、状態の悪化）を示すことが多い。従って、図３に示す血圧リスクレベルは、血圧ＢＰが低くなる（つまり、人工透析中の生体の体調が悪化する）ほど、数値が大きくなっている。【００８７】
但し、血圧リスクレベルは、数値が小さくなるほど生体の体調が悪化している（言い換えれば、良好でない）ことを示してもよい。或いは、血圧リスクレベルは、その他の態様で生体の体調を示してもよい。つまり、血圧ＢＰとの間に何らかの対応関係を有する任意の指標であって且つ生体の体調との間に何らかの対応関係を有する任意の指標が、血圧リスクレベルとして用いられてもよい。【００８８】
また、リスクレベル算出部１３３は、血圧ＢＰと血圧リスクレベルとの間の対応関係を示すテーブルに加えて又は代えて、血圧ＢＰと血圧リスクレベルとの間の対応関係を示す任意の情報（例えば、マップや、数式や、関数等）を参照することで、血圧リスクレベルを算出してもよい。【００８９】
また、リスクレベル算出部１３３は、血圧ＢＰの比例値（例えば、血圧ＢＰそのものの値や、血圧ＢＰを所定係数Ｋで乗算することで得られる値Ｋ×ＢＰ）と血圧リスクレベルとの間の対応関係を示す任意の情報を参照することで、血圧リスクレベルを算出してもよい。或いは、リスクレベル算出部１３３は、血圧ＢＰの変化率（例えば、所定の基準値（例えば、所定時間（例えば、１０分）前の血圧ＢＰ）を基準とする現在の血圧ＢＰの変化率）ΔＢＰと血圧リスクレベルとの間の対応関係を示す任意の情報を参照することで、血圧リスクレベルを算出してもよい。或いは、リスクレベル算出部１３３は、血圧ＢＰの変化の態様を示す任意の情報（例えば、所定の基準値を基準とする現在の血圧ＢＰの変化量や、所定の基準値を基準とする現在の血圧ＢＰの比率や、所定時間当たりの血圧ＢＰの変化量若しくは変化率や、血圧ＢＰのｎ（但し、ｎは１以上の整数）階微分値等）と血圧リスクレベルとの間の対応関係を示す任意の情報を参照することで、血圧リスクレベルを算出してもよい。【００９０】
再度図２において、続いて、リスクレベル算出部１３３は、血流保存部１３２が保存している血流量ＢＦに基づいて、血流リスクレベルを算出する（ステップＳ１４）。尚、血流リスクレベルは、生体の体調の状態を示す指標であって且つ血流量ＢＦの値に応じた指標である。【００９１】
ここで、図４を参照して、血流リスクレベルの算出の態様の一例について説明する。図４は、血流リスクレベルと血流量ＢＦとの間の対応関係を示すテーブルである。【００９２】
図４に示すように、リスクレベル算出部１３３は、例えば、所定の基準値（例えば、所定時間（例えば、１０分）前の血流量ＢＦ）を基準とする現在の血流量ＢＦの変化率ΔＢＦと血流リスクレベルとの間の対応関係を示すテーブルを参照することで、血流リスクレベルを算出してもよい。【００９３】
具体的には、リスクレベル算出部１３３は、血流量ＢＦの変化率ΔＢＦが−５％以上である（つまり、０．９５×所定の基準値≦現在の血流量ＢＦとなる）場合には、「１」という数値を、血流リスクレベルとして算出する。同様に、リスクレベル算出部１３３は、血流量ＢＦの変化率ΔＢＦが−１０％以上であり且つ−５％未満である（つまり、０．９０×所定の基準値≦現在の血流量ＢＦ＜０．９５×所定の基準値となる）場合には、「２」という数値を、血流リスクレベルとして算出する。同様に、リスクレベル算出部１３３は、血流量ＢＦの変化率ΔＢＦが−２０％以上であり且つ−１０％未満である（つまり、０．８０×所定の基準値≦現在の血流量ＢＦ＜０．９０×所定の基準値となる）場合には、「３」という数値を、血流リスクレベルとして算出する。同様に、リスクレベル算出部１３３は、血流量ＢＦの変化率ΔＢＦが−３０％以上であり且つ−２０％未満である（つまり、０．７０×所定の基準値≦現在の血流量ＢＦ＜０．８０×所定の基準値となる）場合には、「４」という数値を、血流リスクレベルとして算出する。同様に、リスクレベル算出部１３３は、血流量ＢＦの変化率ΔＢＦが−４０％以上であり且つ−３０％未満である（つまり、０．６０×所定の基準値≦現在の血流量ＢＦ＜０．７０×所定の基準値となる）場合には、「５」という数値を、血流リスクレベルとして算出する。同様に、リスクレベル算出部１３３は、血流量ＢＦの変化率ΔＢＦが−４０％未満である（つまり、現在の血流量ＢＦ＜０．６０×所定の基準値となる）場合には、「６」という数値を、血流リスクレベルとして算出する。【００９４】
尚、図４に示す血流リスクレベルは、数値が大きくなるほど生体の体調が悪化している（言い換えれば、良好でない）ことを示している。というのも、図４に示す血流リスクレベルは、主として、生体が人工透析を行っている場合の血流量ＢＦを対象としているからである。生体が人工透析を行っている場合には、血流量ＢＦの急激な低下が体調の悪化（つまり、状態の悪化）を示すことが多い。従って、図４に示す血流リスクレベルは、血流量ＢＦの変化率ΔＢＦが小さくなる（つまり、血流量ＢＦが急激に低下する、言い換えれば、人工透析中の生体の体調が悪化する）ほど、数値が大きくなっている。【００９５】
但し、血流リスクレベルは、数値が小さくなるほど生体の体調が悪化している（言い換えれば、良好でない）ことを示してもよい。或いは、血流リスクレベルは、その他の態様で生体の体調を示してもよい。つまり、血流量ＢＦの変化率ΔＢＦとの間に何らかの対応関係を有する任意の指標であって且つ生体の体調との間に何らかの対応関係を有する任意の指標が、血流リスクレベルとして用いられてもよい。【００９６】
また、リスクレベル算出部１３３は、血流量ＢＦの変化率ΔＢＦと血流リスクレベルとの間の対応関係を示すテーブルに加えて又は代えて、血流量ＢＦの変化率ΔＢＦと血流リスクレベルとの間の対応関係を示す任意の情報（例えば、マップや、数式や、関数等）を参照することで、血流リスクレベルを算出してもよい。【００９７】
また、リスクレベル算出部１３３は、血流量ＢＦの比例値（例えば、血流量ＢＦそのものの値や、血流量ＢＦを所定係数Ｋで乗算することで得られる値Ｋ×ＢＦ）と血流リスクレベルとの間の対応関係を示す任意の情報を参照することで、血流リスクレベルを算出してもよい。或いは、リスクレベル算出部１３３は、血流量ＢＦの変化の態様を示す任意の情報（例えば、所定の基準値を基準とする現在の血流量ＢＦの変化量や、所定の基準値を基準とする現在の血流量ＢＦの比率や、所定時間当たりの血流量ＢＦの変化量若しくは変化率や、血流量ＢＦのｎ階微分値等）と血流リスクレベルとの間の対応関係を示す任意の情報を参照することで、血流リスクレベルを算出してもよい。【００９８】
加えて、血流量ＢＦの変化率ΔＢＦを算出する際の基準値として所定時間前の血流量ＢＦを用いる場合には、当該所定時間は、生体毎に変更されてもよい。例えば、相対的に短い期間における血流量ＢＦの変化の状態を監視したいという要請がある場合には、所定時間として、相対的に短い時間（例えば、１分ないしは１０分）が設定されることが好ましい。或いは、相対的に長い期間における血流量ＢＦの変化の状態を監視したいという要請がある場合には、所定時間として、相対的に長い時間（例えば、５分ないしは１５分）が設定されることが好ましい。或いは、所定時間として、血流量ＢＦの平均値に基づいて、生体の体動や電気的ノイズを除去可能な適切な値が設定されてもよい。或いは、血流量ＢＦの変化率ΔＢＦを算出する際の基準値として、血圧計測部１１が血圧ＢＰを計測する時間に血流計測部１２によって計測される血流量ＢＦが用いられてもよい。上述した血圧ＢＰの変化率ΔＢＰや後述する心拍数ＨＲの変化率ΔＨＲや後述する脈波振幅ＰＡの変化率ΔＰＡを算出する場合にもおいても同様である。【００９９】
再度図２において、続いて、リスクレベル算出部１３３は、ステップＳ１３で算出した血圧リスクレベルとステップＳ１４で算出した血流リスクレベルに基づいて、生体の体調が良好であるか否かを示す（或いは、生体の体調の状態を示す）体調リスクレベルを算出する（ステップＳ１５）。【０１００】
例えば、リスクレベル算出部１３３は、ステップＳ１３で算出した血圧リスクレベルとステップＳ１４で算出した血流リスクレベルとを加算することで得られる値を、体調リスクレベルとして算出してもよい。つまり、リスクレベル算出部１３３は、体調リスクレベル＝血圧リスクレベル＋血流リスクレベルという数式を用いて、体調リスクレベルを算出してもよい。【０１０１】
ここで、図５を参照して、体調リスクレベル＝血圧リスクレベル＋血流リスクレベルという数式を用いた体調リスクレベルの算出の態様の一例について説明する。図５は、体調リスクレベル＝血圧リスクレベル＋血流リスクレベルという数式を用いた体調リスクレベルの算出の態様を示すグラフである。【０１０２】
図５（ａ）は、図２のステップＳ１３で算出した血圧リスクレベルの一例を示している。図５（ａ）に示すように、計測経過時間が「０分」となる時点で計測された血圧ＢＰが１７０ｍｍＨｇであるがゆえに、計測経過時間が「０分」から「２０分」となる期間の血圧リスクレベルは「１」となる。同様に、図５（ａ）に示すように、計測経過時間が「２０分」となる時点で計測された血圧ＢＰが１９０ｍｍＨｇであるがゆえに、計測経過時間が「２０分」から「４０分」となる期間の血圧リスクレベルは「２」となる。同様に、図５（ａ）に示すように、計測経過時間が「４０分」となる時点で計測された血圧ＢＰが１５０ｍｍＨｇであるがゆえに、計測経過時間が「４０分」から「６０分」となる期間の血圧リスクレベルは「３」となる。【０１０３】
図５（ｂ）は、図２のステップＳ１４で算出した血流リスクレベルの一例を示している。図５（ｂ）に示すように、計測経過時間が「０分」から「２３分」となる期間、計測経過時間が「３７分」から「４５分」となる期間及び計測経過時間が「５３分」から「５８分」となる期間において血流量ＢＦが増加しているがゆえに、これらの期間の血流リスクレベルは「１」となる。同様に、図５（ｂ）に示すように、計測経過時間が「２３分」から「３７分」となる期間において血流量ＢＦが相対的に急激に減少しているがゆえに、計測経過時間が「２３分」から「３７分」となる期間における血流リスクレベルは「３」となる。同様に、図５（ｂ）に示すように、計測経過時間が「４５分」から「５３分」となる期間及び計測経過時間が「５８分」から「６０分」となる期間において血流量ＢＦが相対的に緩やかに減少しているがゆえに、これらの期間における血流リスクレベルは「２」となる。【０１０４】
図５（ｃ）は、図５（ａ）に示す血圧リスクレベルと図５（ｂ）に示す血流リスクレベルとを加算することで算出される体調リスクレベルを示している。【０１０５】
図５（ｃ）に示すように、計測経過時間が「０分」から「２０分」となる期間は、血圧リスクレベルが「１」となり且つ血流リスクレベルが「１」となる。従って、計測経過時間が「０分」から「２０分」となる期間は、体調リスクレベルが「２」となる。【０１０６】
同様に、図５（ｃ）に示すように、計測経過時間が「２０分」から「２３分」となる期間は、血圧リスクレベルが「２」となり且つ血流リスクレベルが「１」となる。従って、計測経過時間が「２０分」から「２３分」となる期間は、体調リスクレベルが「３」となる。【０１０７】
同様に、図５（ｃ）に示すように、計測経過時間が「２３分」から「３７分」となる期間は、血圧リスクレベルが「２」となり且つ血流リスクレベルが「３」となる。従って、計測経過時間が「２３分」から「３７分」となる期間は、体調リスクレベルが「５」となる。【０１０８】
同様に、図５（ｃ）に示すように、計測経過時間が「３７分」から「４０分」となる期間は、血圧リスクレベルが「２」となり且つ血流リスクレベルが「１」となる。従って、計測経過時間が「２０分」から「２３分」となる期間は、体調リスクレベルが「３」となる。【０１０９】
同様に、図５（ｃ）に示すように、計測経過時間が「４０分」から「４５分」となる期間は、血圧リスクレベルが「３」となり且つ血流リスクレベルが「１」となる。従って、計測経過時間が「２０分」から「２３分」となる期間は、体調リスクレベルが「４」となる。【０１１０】
同様に、図５（ｃ）に示すように、計測経過時間が「４５分」から「５３分」となる期間は、血圧リスクレベルが「３」となり且つ血流リスクレベルが「２」となる。従って、計測経過時間が「２０分」から「２３分」となる期間は、体調リスクレベルが「５」となる。【０１１１】
同様に、図５（ｃ）に示すように、計測経過時間が「５３分」から「５８分」となる期間は、血圧リスクレベルが「３」となり且つ血流リスクレベルが「１」となる。従って、計測経過時間が「２０分」から「２３分」となる期間は、体調リスクレベルが「４」となる。【０１１２】
同様に、図５（ｃ）に示すように、計測経過時間が「５８分」から「６０分」となる期間は、血圧リスクレベルが「３」となり且つ血流リスクレベルが「２」となる。従って、計測経過時間が「５８分」から「６０分」となる期間は、体調リスクレベルが「５」となる。【０１１３】
以上説明したように、第１実施例の体調監視装置１は、血圧計測部１１が計測した血圧ＢＰ及び血流計測部１２が計測した血流量ＢＦの夫々に基づいて、体調リスクレベルを算出することができる。つまり、第１実施例の体調監視装置１は、血圧計測部１１が計測した血圧ＢＰのみに基づいて体調リスクレベルを算出することに代えて、血圧計測部１１が計測した血圧ＢＰ及び血流計測部１２が計測した血流量ＢＦの夫々に基づいて体調リスクレベルを算出することができる。更に言い換えれば、第１実施例の体調監視装置１は、血流計測部１２が計測した血流量ＢＦのみに基づいて体調リスクレベルを算出することに代えて、血圧計測部１１が計測した血圧ＢＰ及び血流計測部１２が計測した血流量ＢＦの夫々に基づいて体調リスクレベルを算出することができる。つまり、第１実施例の体調監視装置１は、単一の計測値に代えて、複数の計測値（つまり、血圧計測部１１が計測した血圧ＢＰ及び血流計測部１２が計測した血流量ＢＦ）に基づいて、体調リスクレベルを算出することができる。従って、第１実施例の体調監視装置１は、単一の計測値に基づいて体調リスクレベルを算出する比較例の体調監視装置と比較して、生体の体調をより好適に（例えば、より高精度に）監視することができる。【０１１４】
尚、上述した説明では、リスクレベル算出部１３３は、ステップＳ１３で算出した血圧リスクレベルとステップＳ１４で算出した血流リスクレベルとを加算することで得られる値を、体調リスクレベルとして算出している。しかしながら、リスクレベル算出部１３３は、ステップＳ１３で算出した血圧リスクレベルとステップＳ１４で算出した血流リスクレベルとを乗算することで得られる値を、体調リスクレベルとして算出している。つまり、リスクレベル算出部１３３は、体調リスクレベル＝血圧リスクレベル×血流リスクレベルという数式を用いて、体調リスクレベルを算出してもよい。【０１１５】
或いは、リスクレベル算出部１３３は、ステップＳ１３で算出した血圧リスクレベル及びステップＳ１４で算出した血流リスクレベルの双方を変数とする任意の関数に基づいて、体調リスクレベルを算出してもよい。つまり、リスクレベル算出部１３３は、体調リスクレベル＝ｆ（血圧リスクレベル、血流リスクレベル）という関数を用いて、体調リスクレベルを算出してもよい。或いは、リスクレベル算出部１３３は、ステップＳ１３で算出した血圧リスクレベル及びステップＳ１４で算出した血流リスクレベルから、何らかの手法を用いて体調リスクレベルを算出してもよい。【０１１６】
加えて、上述した説明では、リスクレベル算出部１３３は、ステップＳ１３で算出した血圧リスクレベル及びステップＳ１４で算出した血流リスクレベルの夫々をそのまま用いて、体調リスクレベルを算出している。しかしながら、リスクレベル算出部１３３は、ステップＳ１３で算出した血圧リスクレベル及びステップＳ１４で算出した血流リスクレベルの少なくとも一方に対して所定の重み付け係数αを用いた重み付け処理を施した後に、体調リスクレベルを算出してもよい。例えば、リスクレベル算出部１３３は、体調リスクレベル＝α１×血圧リスクレベル＋α２×血流リスクレベルという数式（但し、α１は血圧リスクレベルに対する重み付け係数であり、α２は血流リスクレベルに対する重み付け係数である）を用いて、体調リスクレベルを算出してもよい。或いは、例えば、リスクレベル算出部１３３は、体調リスクレベル＝α１×血圧リスクレベル×α２×血流リスクレベルという数式を用いて、体調リスクレベルを算出してもよい。或いは、例えば、リスクレベル算出部１３３は、体調リスクレベル＝ｆ（α１×血圧リスクレベル、α２×血流リスクレベル）という数式を用いて、体調リスクレベルを算出してもよい。このような重み付け係数αを用いた重み付け処理が施されることで、体調を監視する生体毎の個人差が存在していたとしても、当該個人差を吸収するように血圧リスクレベル及び血流リスクレベルの少なくとも一方が補正される。従って、体調監視装置１は、体調リスクレベルをより一層好適に算出することができる
尚、重み付け係数αには、体調監視装置１による監視の対象となっている生体毎に（言い換えれば、個人別に）適切な値が設定されてもよい。或いは、重み付け係数αには、体調監視装置１による監視の対象となっている生体の体調に応じた適切な値が設定されてもよい。【０１１７】
また、上述した説明では、リスクレベル算出部１３３は、血圧計測部１１が計測した血圧ＢＰ及び血流計測部１２が計測した血流量ＢＰの夫々を用いて、体調リスクレベルを算出している。しかしながら、リスクレベル算出部１３３は、血圧計測部１１が計測した血圧ＢＰ及び血流計測部１２が計測した血流量ＢＰの夫々に加えて、血流計測部１２が計測した血流量ＢＦから算出される心拍数ＨＲ及び脈波振幅ＰＡの夫々を更に用いて、体調リスクレベルを算出してもよい。より具体的には、リスクレベル算出部１３３は、血圧リスクレベル及び血流リスクレベルの夫々に加えて、生体の体調の状態を示す指標であって且つ心拍数ＨＲに応じた指標である心拍リスクレベル及び生体の体調の状態を示す指標であって且つ脈波振幅ＰＡに応じた指標である脈波リスクレベルの夫々を更に用いて、体調リスクレベルを算出してもよい。【０１１８】
ここで、図６から図８を参照して、心拍数ＨＲ及び脈波振幅ＰＡの少なくとも一方を更に用いて体調リスクレベルを算出する態様について説明する。図６は、心拍数ＨＲ及び脈波振幅ＰＡと血流量ＢＦとの間の関係を示す波形図である。図７は、心拍リスクレベルと心拍数ＨＲとの間の対応関係を示すテーブルである。図８は、脈波リスクレベルと脈波振幅ＰＡとの間の対応関係を示すテーブルである。【０１１９】
図６に示すように、血流計測部１２が血流量ＢＦを計測する際に得られる血流波形において、脈波に相当する波形の振動数（つまり、血流波形の周期Ａの逆数（１／Ａ））が、心拍数ＨＲに相当する。このような図６に示す心拍数ＨＲに対して、リスクレベル算出部１３３は、例えば、所定の基準値（例えば、所定時間（例えば、１０分）前の心拍数ＨＲ）を基準とする現在の心拍数ＨＲの変化率ΔＨＲと心拍リスクレベルとの間の対応関係を示すテーブルを参照することで、心拍リスクレベルを算出してもよい。【０１２０】
具体的には、図７に示すように、リスクレベル算出部１３３は、心拍数ＨＲの変化率ΔＨＲの絶対値が５％以下である（つまり、｜０．９５×所定の基準値｜≦｜現在の心拍数ＨＲ｜となる）場合には、「１」という数値を、心拍リスクレベルとして算出する。同様に、リスクレベル算出部１３３は、心拍数ＨＲの変化率ΔＨＲの絶対値が５％より大きく且つ１０％以下である（つまり、｜０．９０×所定の基準値｜≦｜現在の心拍数ＨＲ｜＜｜０．９５×所定の基準値｜となる）場合には、「２」という数値を、心拍リスクレベルとして算出する。同様に、リスクレベル算出部１３３は、心拍数ＨＲの変化率ΔＨＲの絶対値が１０％より大きく且つ２０％以下である（つまり、｜０．８０×所定の基準値｜≦｜現在の心拍数ＨＲ｜＜｜０．９０×所定の基準値｜となる）場合には、「３」という数値を、心拍リスクレベルとして算出する。同様に、リスクレベル算出部１３３は、心拍数ＨＲの変化率ΔＨＲの絶対値が２０％より大きく且つ３０％以下である（つまり、｜０．７０×所定の基準値｜≦｜現在の心拍数ＨＲ｜＜｜０．８０×所定の基準値｜となる）場合には、「４」という数値を、心拍リスクレベルとして算出する。同様に、リスクレベル算出部１３３は、心拍数ＨＲの変化率ΔＨＲの絶対値が３０％より大きく且つ４０％以下である（つまり、｜０．６０×所定の基準値｜≦｜現在の心拍数ＨＲ｜＜｜０．７０×所定の基準値｜となる）場合には、「５」という数値を、心拍リスクレベルとして算出する。同様に、リスクレベル算出部１３３は、心拍数ＨＲの変化率ΔＨＲの絶対値が４０％より大きくなる（つまり、｜現在の心拍数ＨＲ｜＜｜０．６０×所定の基準値｜となる）場合には、「６」という数値を、心拍リスクレベルとして算出する。【０１２１】
尚、図７に示す心拍リスクレベルは、数値が大きくなるほど生体の体調が悪化している（言い換えれば、良好でない）ことを示している。というのも、図７に示す心拍リスクレベルは、主として、生体が人工透析を行っている場合の心拍数ＨＲを対象としているからである。生体が人工透析を行っている場合には、心拍数ＨＲの急激な変動が体調の悪化（つまり、状態の悪化）を示すことが多い。従って、図７に示す心拍リスクレベルは、心拍数ＨＲの変化率ΔＨＲの絶対値が大きくなる（つまり、心拍数ＨＲが急激に変化する、言い換えれば、人工透析中の生体の体調が悪化する）ほど、数値が大きくなっている。【０１２２】
但し、心拍リスクレベルは、数値が小さくなるほど生体の体調が悪化している（言い換えれば、良好でない）ことを示してもよい。或いは、心拍リスクレベルは、その他の態様で生体の体調を示してもよい。つまり、心拍数ＨＲの変化率ΔＨＲとの間に何らかの対応関係を有する任意の指標であって且つ生体の体調との間に何らかの対応関係を有する指標が、心拍リスクレベルとして用いられてもよい。【０１２３】
また、リスクレベル算出部１３３は、心拍数ＨＲの変化率ΔＨＲと心拍リスクレベルとの間の対応関係を示すテーブルに加えて又は代えて、心拍数ＨＲの変化率ΔＨＲと心拍リスクレベルとの間の対応関係を示す任意の情報（例えば、マップや、数式や、関数等）を参照することで、血流リスクレベルを算出してもよい。【０１２４】
また、リスクレベル算出部１３３は、心拍数ＨＲの比例値（例えば、心拍数ＨＲそのものの値や、心拍数ＨＲを所定係数Ｋで乗算することで得られる値Ｋ×ＨＲ）と心拍リスクレベルとの間の対応関係を示す任意の情報を参照することで、心拍リスクレベルを算出してもよい。或いは、リスクレベル算出部１３３は、心拍数ＨＲの変化の態様を示す任意の情報（例えば、所定の基準値を基準とする現在の心拍数ＨＲの変化量や、所定の基準値を基準とする現在の心拍数ＨＲの比率や、所定時間当たりの心拍数ＨＲの変化量若しくは変化率や、心拍数ＨＲのｎ階微分値等）と心拍リスクレベルとの間の対応関係を示す任意の情報を参照することで、心拍リスクレベルを算出してもよい。【０１２５】
一方で、図６に示すように、血流計測部１２が血流量ＢＦを計測する際に得られる血流波形において、脈波に相当する波形の振幅Ｃが、脈波振幅ＰＡに相当する。このような図６に示す脈波振幅ＰＡに対して、リスクレベル算出部１３３は、例えば、所定の基準値（例えば、所定時間（例えば、１０分）前の脈波振幅ＰＡ）を基準とする現在の脈波振幅ＰＡの変化率ΔＰＡと脈波リスクレベルとの間の対応関係を示すテーブルを参照することで、脈波リスクレベルを算出してもよい。【０１２６】
具体的には、図８に示すように、リスクレベル算出部１３３は、脈波振幅ＰＡの変化率ΔＰＡが−５％以上である（つまり、０．９５×所定の基準値≦現在の脈波振幅となる）場合には、「１」という数値を、脈波リスクレベルとして算出する。同様に、リスクレベル算出部１３３は、脈波振幅ＰＡの変化率ΔＰＡが−１０％以上であり且つ−５％未満である（つまり、０．９０×所定の基準値≦現在の脈波振幅ＰＡ＜０．９５×所定の基準値となる）場合には、「２」という数値を、血流リスクレベルとして算出する。同様に、リスクレベル算出部１３３は、脈波振幅ＰＡの変化率ΔＰＡが−２０％以上であり且つ−１０％未満である（つまり、０．８０×所定の基準値≦現在の脈波振幅ＰＡ＜０．９０×所定の基準値となる）場合には、「３」という数値を、血流リスクレベルとして算出する。同様に、リスクレベル算出部１３３は、脈波振幅ＰＡの変化率ΔＰＡが−３０％以上であり且つ−２０％未満である（つまり、０．７０×所定の基準値≦現在の脈波振幅ＰＡ＜０．８０×所定の基準値となる）場合には、「４」という数値を、血流リスクレベルとして算出する。同様に、リスクレベル算出部１３３は、脈波振幅ＰＡの変化率ΔＰＡが−４０％以上であり且つ−３０％未満である（つまり、０．６０×所定の基準値≦現在の脈波振幅ＰＡ＜０．７０×所定の基準値となる）場合には、「５」という数値を、血流リスクレベルとして算出する。同様に、リスクレベル算出部１３３は、脈波振幅ＰＡの変化率ΔＰＡが−４０％未満である（つまり、現在の脈波振幅ＰＡ＜０．６０×所定の基準値となる）場合には、「６」という数値を、血流リスクレベルとして算出する。【０１２７】
尚、図８に示す脈波リスクレベルは、数値が大きくなるほど生体の体調が悪化している（言い換えれば、良好でない）ことを示している。というのも、図８に示す脈波リスクレベルは、主として、生体が人工透析を行っている場合の脈波振幅ＰＡを対象としているからである。生体が人工透析を行っている場合には、脈波振幅ＰＡの急激な低下が体調の悪化（つまり、状態の悪化）を示すことが多い。従って、図８に示す脈波リスクレベルは、脈波振幅ＰＡの変化率ΔＰＡが小さくなる（つまり、脈波振幅ＰＡが急激に低下する、言い換えれば、人工透析中の生体の体調が悪化する）ほど、数値が大きくなっている。【０１２８】
但し、脈波リスクレベルは、数値が小さくなるほど生体の体調が悪化している（言い換えれば、良好でない）ことを示してもよい。或いは、脈波リスクレベルは、その他の態様で生体の体調を示してもよい。つまり、脈波振幅ＰＡの変化率ΔＰＡとの間に何らかの対応関係を有する任意の指標であって且つ生体の体調との間に何らかの対応関係を有する任意の指標が、脈波リスクレベルとして用いられてもよい。【０１２９】
また、リスクレベル算出部１３３は、脈波振幅ＰＡの変化率ΔＰＡと脈波リスクレベルとの間の対応関係を示すテーブルに加えて又は代えて、脈波振幅ＰＡの変化率ΔＰＡと脈波リスクレベルとの間の対応関係を示す任意の情報（例えば、マップや、数式や、関数等）を参照することで、脈波リスクレベルを算出してもよい。【０１３０】
また、リスクレベル算出部１３３は、脈波振幅ＰＡの比例値（例えば、脈波振幅ＰＡそのものの値や、脈波振幅ＰＡを所定係数Ｋで乗算することで得られる値Ｋ×ＰＡ）と脈波リスクレベルとの間の対応関係を示す任意の情報を参照することで、脈波リスクレベルを算出してもよい。或いは、リスクレベル算出部１３３は、脈波振幅ＰＡの変化の態様を示す任意の情報（例えば、所定の基準値を基準とする現在の脈波振幅ＰＡの変化量や、所定の基準値を基準とする現在の脈波振幅ＰＡの比率や、所定時間当たりの脈波振幅ＰＡの変化量若しくは変化率や、脈波振幅ＰＡのｎ階微分値等）ΔＰＡと脈波リスクレベルとの間の対応関係を示す任意の情報を参照することで、脈波リスクレベルを算出してもよい。【０１３１】
尚、上述した説明では、リスクレベル算出部１３３は、心拍リスクレベル及び脈波リスクレベルの夫々を更に用いて体調リスクレベルを算出している。しかしながら、リスクレベル算出部１３３は、心拍リスクレベルを用いる一方で脈波リスクレベルを用いることなく、体調リスクレベルを算出してもよい。或いは、リスクレベル算出部１３３は、脈波リスクレベルを用いる一方で心拍リスクレベルを用いることなく、体調リスクレベルを算出してもよい。【０１３２】
（２）第２実施例
続いて、図９から図１０を参照しながら、第２実施例の体調監視装置２について説明を進める。尚、以下の説明では、第１実施例の体調監視装置１と同一の構成及び動作については、同一の参照符号及びステップ番号を付してその詳細な説明を省略する。【０１３３】
（２−１）体調監視装置の構成
はじめに、図９を参照しながら、第２実施例の体調監視装置２の構成について説明する。図９は、第２実施例の体調監視装置２の構成を示すブロック図である。【０１３４】
図９に示すように、第２実施例の体調監視装置２は、第１実施例の体調監視装置１と同様に、血圧計測部１１と、血流計測部１２とを備えている。【０１３５】
第２実施例の体調監視装置２は更に、制御部２３を備えている。第２実施例の制御部２３は、第１実施例の制御部１３と比較して、計測指示部２３５を更に備えているという点で異なっている。第２実施例の制御部２３が備えるその他の構成要素は、第１実施例の制御部１２が備えるその他の構成要素と同一であってもよい。【０１３６】
計測指示部２３５は、血圧計測部１１が計測した血圧ＢＰが所定条件を満たす場合に血流計測部１２が血流量ＢＦを計測するように、血流計測部１２を制御してもよい。言い換えれば、計測指示部２３５は、血圧計測部１１が計測した血圧ＢＰが所定条件を満たしていない場合に血流計測部１２が血流量ＢＦを計測しないように、血流計測部１２を制御してもよい。【０１３７】
血流計測部１２を制御することに加えて又は代えて、計測指示部２３５は、血圧計測部１１が計測した血圧ＢＰが所定条件を満たす場合にリスクレベル算出部１３３が体調リスクレベルを算出するように、リスクレベル算出部１３３を制御してもよい。言い換えれば、計測指示部２３５は、血圧計測部１１が計測した血圧ＢＰが所定条件を満たしていない場合にリスクレベル算出部１３３が体調リスクレベルを算出しないように、リスクレベル算出部１３３を制御してもよい。【０１３８】
（２−２）体調監視装置の動作
続いて、図１０を参照して、第２実施例の体調監視装置２の動作の流れについて説明する。図１０は、第２実施例の体調監視装置２の動作の流れを示すフローチャートである。【０１３９】
図１０に示すように、第２実施例においても、第１実施例と同様に、血圧計測部１１は、生体の血圧ＢＰを計測する（ステップＳ１２）。また、血圧保存部１３１は、血圧計測部１１が計測した血圧ＢＰを保存する（ステップＳ１２）。【０１４０】
第２実施例では特に、計測指示部２３５は、ステップＳ１２で計測された血圧ＢＰが、所定条件を満たすか否かを判定する（ステップＳ２１）。【０１４１】
例えば、計測指示部２３５は、ステップＳ１２で計測された血圧ＢＰが、継続的な監視を必要とする値（例えば、正常値ではない値や、正常値ではあるものの注意を要する値等）であるか否かを判定してもよい。ステップＳ１２で計測された血圧ＢＰが継続的な監視を必要とする値である場合には、ステップＳ１２で計測された血圧ＢＰが所定条件を満たすと判定されてもよい。他方で、ステップＳ１２で計測された血圧ＢＰが継続的な監視を必要とする値でない場合には、ステップＳ１２で計測された血圧ＢＰが所定条件を満たさないと判定されてもよい。【０１４２】
或いは、計測指示部２３５は、ステップＳ１２で計測された血圧ＢＰがその他の所望値ないしは所定値であるか否か又は所定範囲に収まるか否かを判定することで、ステップＳ１２で計測された血圧ＢＰが所定条件を満たすと判定してもよい。例えば、計測指示部２３５は、ステップＳ１２で計測された血圧ＢＰが、生体の体調の継続的な監視を必要とすることを示す所定値であるか否か（或いは、生体の体調の継続的な監視を必要とすることを示す所定範囲に収まるか否か）を判定することで、ステップＳ１２で計測された血圧ＢＰが所定条件を満たすと判定してもよい。ステップＳ１２で計測された血圧ＢＰが、生体の体調の継続的な監視を必要とすることを示す所定値である（或いは、生体の体調の継続的な監視を必要とすることを示す所定範囲に収まる）場合には、ステップＳ１２で計測された血圧ＢＰが所定条件を満たすと判定されてもよい。他方で、ステップＳ１２で計測された血圧ＢＰが、生体の体調の継続的な監視を必要とすることを示す所定値でない（或いは、生体の体調の継続的な監視を必要とすることを示す所定範囲に収まらない）場合には、ステップＳ１２で計測された血圧ＢＰが所定条件を満たさないと判定されてもよい。【０１４３】
ステップＳ２１の判定の結果、ステップＳ１２で計測された血圧ＢＰが所定条件を満たさないと判定される場合には（ステップＳ２１：Ｎｏ）、ステップＳ１２及びステップＳ２１の動作が繰り返される。つまり、血圧計測部１１は、生体の血圧ＢＰを計測する。血圧保存部１３１は、血圧計測部１１が計測した血圧ＢＰを保存する。計測指示部２３５は、ステップＳ１２で計測された血圧ＢＰが、所定条件を満たすか否かを判定する。【０１４４】
加えて、この場合には、計測指示部２３５は、血流計測部１２が血流量ＢＦを計測しないように、血流計測部１２を制御してもよい。その結果、血流計測部１２は、血流量ＢＦを計測しなくともよい。また、計測指示部２３５は、血流計測部１２を制御することに加えて又は代えて、リスクレベル算出部１３３が体調リスクレベルを算出しないように、リスクレベル算出部１３３を制御してもよい。その結果、リスクレベル算出部１３３は、体調リスクレベルを算出しなくともよい。【０１４５】
他方で、ステップＳ２１の判定の結果、ステップＳ１２で計測された血圧ＢＰが所定条件を満たすと判定される場合には（ステップＳ２１：Ｙｅｓ）、計測指示部２３５は、血流計測部１２が血流量ＢＦを計測するように、血流計測部１２を制御してもよい。その結果、血流計測部１２は、血流量ＢＦを計測する（ステップＳ１１）。また、計測指示部２３５は、血流計測部１２を制御することに加えて又は代えて、リスクレベル算出部１３３が体調リスクレベルを算出するように、リスクレベル算出部１３３を制御する。その結果、リスクレベル算出部１３３は、体調リスクレベルを算出する（ステップＳ１３からステップＳ１５）。【０１４６】
加えて、ステップＳ１２で計測された血圧ＢＰが所定条件を満たすと判定される場合にも、血圧計測部１１は、生体の血圧ＢＰを計測することが好ましい。血圧計測部１１が血圧ＢＰを計測した場合には、計測指示部２３５は、新たに計測された血圧ＢＰが、所定条件を満たすか否かを判定することが好ましい。【０１４７】
以上説明したように、第２実施例の体調監視装置２は、第１実施例の体調監視装置１が享受することができる各種効果と同様の効果を好適に享受することができる。【０１４８】
加えて、第２実施例の体調監視装置２は、血圧計測部１１が計測した血圧が所定条件を満たす場合に、血流量ＢＦの計測及び体調リスクレベルの算出を行う。言い換えれば、第２実施例の体調監視装置２は、血圧計測部１１が計測した血圧ＢＰが所定条件を満たさない場合に、血流量ＢＦの計測及び体調リスクレベルの算出を行わなくともよい。このため、血流量ＢＦの計測及び体調リスクレベルの算出を常に行う比較例の体調監視装置と比較して、体調監視装置２の消費電力が低減される。【０１４９】
（３）第３実施例
続いて、図１１から図１２を参照しながら、第３実施例の体調監視装置３について説明を進める。尚、以下の説明では、第１実施例の体調監視装置１から第２実施例の体調監視装置２と同一の構成及び動作については、同一の参照符号及びステップ番号を付してその詳細な説明を省略する。【０１５０】
（３−１）体調監視装置の構成
はじめに、図１１を参照しながら、第３実施例の体調監視装置３の構成について説明する。図１１は、第３実施例の体調監視装置３の構成を示すブロック図である。【０１５１】
図１１に示すように、第３実施例の体調監視装置３は、第１実施例の体調監視装置１と同様に、血圧計測部１１と、血流計測部１２とを備えている。【０１５２】
第３実施例の体調監視装置３は更に、制御部３３を備えている。第３実施例の制御部３３は、第１実施例の制御部１３と比較して、タイマ部３３６を更に備えているという点で異なっている。第３実施例の制御部３３が備えるその他の構成要素は、第１実施例の制御部１２が備えるその他の構成要素と同一であってもよい。【０１５３】
タイマ部３３６は、血圧計測部１１が血圧ＢＰを計測するタイミングを設定する。加えて、タイマ部３３６は、血圧計測部１１が血圧ＢＰを計測するタイミングが到来した場合には、血圧ＢＰを計測するように血圧計測部１１を制御する。【０１５４】
（３−２）体調監視装置の動作
続いて、図１２を参照して、第３実施例の体調監視装置４の動作の流れについて説明する。図１２は、第３実施例の体調監視装置３の動作の流れを示すフローチャートである。【０１５５】
図１２に示すように、タイマ部３３６は、血圧計測部１１が血圧ＢＰを計測するタイミングを設定する（ステップＳ３１）。例えば、タイマ部３３６は、血圧計測部１１が血圧ＢＰを計測するタイミングとして、周期（例えば、２０分という周期）を設定してもよい。タイマ部３３６は、血圧計測部１１が血圧ＢＰを計測するタイミングとして、時刻そのもの（例えば、２０分、４０分、６０分・・・という時刻）を設定してもよい。【０１５６】
その後、第３実施例においても、第１実施例と同様に、血流計測部１２は、生体の血流量ＢＦを計測する（ステップＳ１１）。加えて、第３実施例においても、第１実施例と同様に、リスクレベル算出部１３３は、体調リスクレベルを算出する（ステップＳ１３からステップＳ１５）。【０１５７】
また、第３実施例においても、第１実施例と同様に、ステップＳ１１での血流量ＢＦの計測に続いて若しくは相前後して又は並行して、血圧計測部１１は、生体の血圧ＢＰを計測する（ステップＳ１２）。加えて、血圧保存部１３１は、血圧計測部１１が計測した血圧ＢＰを保存する（ステップＳ１２）。【０１５８】
その後、第３実施例では、タイマ部３３６は、現在のタイミングが、ステップＳ３１で設定したタイミング（つまり、血圧計測部１１が血圧ＢＰを計測するタイミング）であるか否かを判定する（ステップＳ３２）。言い換えれば、タイマ部３３６は、ステップＳ３１で設定したタイミング（つまり、血圧計測部１１が血圧ＢＰを計測するタイミング）が到来したか否かを判定する（ステップＳ３２）。【０１５９】
ステップＳ３２の判定の結果、現在のタイミングがステップＳ３１で設定したタイミング（つまり、血圧計測部１１が血圧ＢＰを計測するタイミング）であると判定される場合には（ステップＳ３２：Ｙｅｓ）、ステップＳ１２の動作が再度行われる。つまり、血圧計測部１１は、生体の血圧ＢＰを計測する（ステップＳ１２）。加えて、血圧保存部１３１は、血圧計測部１１が計測した血圧ＢＰを保存する（ステップＳ１２）。【０１６０】
他方で、ステップＳ３２の判定の結果、現在のタイミングがステップＳ３１で設定したタイミング（つまり、血圧計測部１１が血圧ＢＰを計測するタイミング）でないと判定される場合には（ステップＳ３２：Ｎｏ）、ステップＳ１２の動作が行われなくともよい。つまり、血圧計測部１１は、ステップＳ３１で設定したタイミング（つまり、血圧計測部１１が血圧ＢＰを計測するタイミング）が再度到来するまでは、生体の血圧ＢＰを計測しなくともよい。加えて、血圧保存部１３１は、ステップＳ３１で設定したタイミング（つまり、血圧計測部１１が血圧ＢＰを計測するタイミング）が再度到来するまでは、血圧計測部１１が計測した血圧ＢＰを保存しなくともよい。【０１６１】
以上説明したように、第３実施例の体調監視装置３は、第１実施例の体調監視装置１が享受することができる各種効果と同様の効果を好適に享受することができる。【０１６２】
加えて、第３実施例の体調監視装置３は、タイマ部３３６の動作により、所望のタイミングで自動的に血圧ＢＰを計測することができる。このため、第３実施例の体調監視装置３は、計測者がタイミングを図ることなく（或いは、計測者が手動で作業を行うことなく）、自動的に血圧ＢＰを計測することができる。【０１６３】
尚、タイマ部３３６は、血圧計測部１１が計測した血圧ＢＰが所定条件を満たすか否かに応じて、設定するタイミングを変えてもよい。例えば、タイマ部３３６は、血圧計測部１１が計測した血圧ＢＰ３が所定条件を満たす（例えば、継続的な監視を必要とする値である）場合に、血圧計測部１１が血圧ＢＰを計測するタイミングとして、相対的に短い周期を設定してもよい。その結果、血圧計測部１１が計測した血圧ＢＰが所定条件を満たす場合に、血圧計測部１１は、相対的に高い頻度で血圧ＢＰを計測する。他方で、タイマ部３３６は、血圧計測部１１が計測した血圧ＢＰが所定条件を満たさない（例えば、継続的な監視を必要とする値でない）場合に、血圧計測部１１が血圧ＢＰを計測するタイミングとして、相対的に長い周期を設定してもよい。その結果、血圧計測部１１が計測した血圧ＢＰが所定条件を満たさない場合に、血圧計測部１１は、相対的に低い頻度で血圧ＢＰを計測する。これにより、血圧計測部１１は、血圧ＢＰが継続的な監視を必要とする値か否かに応じた好適な頻度で、血圧ＢＰを計測することができる。【０１６４】
尚、第１実施例から第３実施例で説明した各構成の一部を適宜組み合わせてもよい。この場合であっても、第１実施例から第３実施例で説明した各構成の一部を適宜組み合わせることで得られる血流量検出装置は、上述した各種効果を好適に享受することができる。【０１６５】
また、本発明は、請求の範囲及び明細書全体から読み取るこのできる発明の要旨又は思想に反しない範囲で適宜変更可能であり、そのような変更を伴う体調監視装置及び方法もまた本発明の技術思想に含まれる。
【符号の説明】
【０１６６】
１、２、３  体調監視装置
１１  血圧計測部
１２  血流計測部
１２１  レーザ素子
１２２  受光素子
１２３  増幅器
１２４  Ａ／Ｄコンバータ
１２５  演算回路
１３、２３、３３  制御部
１３１  血圧保存部
１３２  血流量保存部
１３３  リスクレベル算出部
１３４  出力部
２３５  計測指示部
３３６  タイマ部
【図１】
0005940652.tif 000002
【図２】
0005940652.tif 000003
【図３】
0005940652.tif 000004
【図４】
0005940652.tif 000005
【図５】
0005940652.tif 000006
【図６】
0005940652.tif 000007
【図７】
0005940652.tif 000008
【図８】
0005940652.tif 000009
【図９】
0005940652.tif 000010
【図１０】
0005940652.tif 000011
【図１１】
0005940652.tif 000012
【図１２】
0005940652.tif 000013